(57)【要約】【課題】本発明は、主制御盤と巻上機とが互いに確認できない位置にあっても、巻上機付近で乗りかごの運転やドアゾーンの位置確認を行わせるとともに、大規模な機器の損傷事故を未然に防止させ、調整時や通常運転時、故障時の復旧作業時における安全性を飛躍的に高める。【解決手段】巻上機７上、または巻上機７の動作状態を確認することができる位置に補助制御盤９を設け、この補助制御盤９によって、主制御盤８で表示される情報と同じ情報を表示させながら、主制御盤８をリモートコントロールさせて、巻上機７を動作させ、乗りかご４を昇降、停止させる。【選択図】      図１
2004277147.tif 000002
【特許請求の範囲】
【請求項１】
主制御盤によって巻上機の動作を制御して、乗りかごを昇降、停止させるエレベータシステムにおいて、
前記巻上機上、または前記巻上機の近傍に配置され、前記主制御盤に表示される情報のうち、指定された情報を表示するとともに、操作内容に応じた制御信号を生成し、前記主制御盤を制御して前記乗りかごをリモート運転する補助制御盤、
を備えたことを特徴とするエレベータシステム。
【請求項２】
請求項１に記載したエレベータシステムにおいて、
前記乗りかごの上または前記乗りかご内に配置され、点検運転モードが入力されているとき、前記主制御盤、前記補助制御盤による前記乗りかごの昇降を禁止するかご側運転切替器、
を備えたことを特徴とするエレベータシステム。
【発明の詳細な説明】
【０００１】
【発明の属する技術分野】
本発明は、巻上機と、主制御盤とが異なる階に設置されているときでも、乗りかごの点検等を容易にするようにしたエレベータシステムに関する。
【０００２】
【従来の技術】
従来、エレベータの主制御盤と巻上機とは両方とも同じ機械室内に設置されており、巻上機の回転やブレーキの開放などを確認しつつ、主制御盤に設けられている乗りかご操作器によって乗りかごの運転を行っている。
【０００３】
また、エレベータが故障して乗りかごの自動運転ができなくなったとき、人の手によって、巻上機のブレーキを開放しつつ、巻上機を回転させて、乗りかごを昇降させ、主制御盤のドアゾーン検出器によって、人が乗降できる位置に乗りかごがあるのを確認して時点で、乗りかごのドアを開扉して乗客を救出するようにしている。
【０００４】
【発明が解決しようとする課題】
しかしながら、主制御盤と巻上機とが異なる階床に設置されている場合など、お互いが確認できない位置に設置されていると、次のような問題が発生する。
【０００５】
まず、主制御盤で乗りかごの運転を行う際、もし巻上機付近やロープ付近に人がいても、主制御盤を操作する人には、これが分からないことから、巻上機周辺の安全確認を行うことができないという問題があった。
【０００６】
また、主制御盤で乗りかごの運転を行う際、巻上機に異常が発生しても、主制御盤を操作する人には、これが分からないことから、巻上機を即座に停止させることがでず、機器の損傷を大きくしてしまうという問題があった。
【０００７】
さらに、調整時や通常運転時、故障時の復旧作業時に、巻上機の回転やブレーキの開放状態を確認させながら作業を行うことができないばかりでなく、人の手で救出運転を行うとき、ドアゾーン検出器が主制御盤に設けられている関係上、人が乗降できる位置に乗りかごがあるのを確認することができないという問題があった。
【０００８】
本発明は上記の事情に鑑み、請求項１では、主制御盤と巻上機とが互いに確認できない位置にあっても、巻上機付近で乗りかごの運転やドアゾーンの位置確認を行わせることができるとともに、大規模な機器の損傷事故を未然に防止させることができ、これによって調整時や通常運転時、故障時の復旧作業時における安全性を飛躍的に高めることができるエレベータシステムを提供することを目的としている。
【０００９】
また、請求項２では、乗りかごの点検などを行っているとき、主制御盤などが操作されても、乗りかごが動き出さないようにして、乗りかご点検時における保守員の安全性を確保させることができるエレベータシステムを提供することを目的としている。
【００１０】
【課題を解決するための手段】
上記の目的を達成するために本発明は、請求項１では、主制御盤によって巻上機の動作を制御して、乗りかごを昇降、停止させるエレベータシステムにおいて、前記巻上機上、または前記巻上機の近傍に配置され、前記主制御盤に表示される情報のうち、指定された情報を表示するとともに、操作内容に応じた制御信号を生成し、前記主制御盤を制御して前記乗りかごをリモート運転する補助制御盤を備えたことを特徴としている。
【００１１】
上記の構成によれば、補助制御盤によって、前記主制御盤に表示される情報のうち、指定された情報を表示しながら、操作内容に応じた制御信号を生成して、前記主制御盤を制御し、前記乗りかごをリモート運転するようにしているので、主制御盤と巻上機とが互いに確認できない位置にあっても、巻上機付近で乗りかごの運転やドアゾーンの位置確認を行わせるとともに、大規模な機器の損傷事故を未然に防止して、調整時や通常運転時、故障時の復旧作業時における安全性を飛躍的に高めることができる。
【００１２】
また、請求項２では、請求項１に記載したエレベータシステムにおいて、前記乗りかごの上または前記乗りかご内に配置され、点検運転モードが入力されているとき、前記主制御盤、前記補助制御盤による前記乗りかごの昇降を禁止するかご側運転切替器を備えたことを特徴としている。
【００１３】
上記構成によれば、かご側運転切替器が操作されて、点検運転モードが入力されているとき、前記主制御盤、前記補助制御盤による前記乗りかごの昇降を禁止するようにしているので、乗りかごの点検などを行っているとき、主制御盤などが操作されても、乗りかごが動き出さないようにして、乗りかご点検時における保守員の安全性を確保することができる。
【００１４】
【発明の実施の形態】
図１は本発明によるエレベータシステムの第１の実施の形態を示す概略構成図である。
【００１５】
この図に示すエレベータシステム１ａは、建物２の昇降路３内に昇降自在に配置される乗りかご４と、乗りかご４の自重、積載量などに対応した重さに設定され、昇降路３内に昇降自在に配置される釣合重り５と、釣合重り５と乗りかご４とを連結するロープ６と、建物２の最上階などに設けられた機械室などに配置され、ロープ６を走行させて、乗りかご４を昇降、停止させる巻上機７と、建物２を構成している各階のいずれかに設けられ、乗りかご４に設けられた呼び入力装置、建物２の各階毎に設けられた各呼び入力装置の操作内容などに基づき、巻上機７を動作させて、乗りかご４を昇降、停止させ、指定された階まで、乗客を運ばせる主制御盤８と、巻上機７が見える位置に配置され、エレベータの調整時や通常運転時、故障時の復旧作業時などに、主制御盤８と連携して、巻上機７を動作させ、乗りかご４を昇降、停止させる補助制御盤９とを備えており、乗客により各呼び入力装置が操作される毎に、主制御盤８によって、巻上機７などを動作させて、乗りかご４を昇降、停止させ、指定された階まで、乗客を運ばせる。また、補助制御盤９によって、主制御盤８上に表示される情報と同じ情報を表示させながら、補助制御盤８が操作されて、点検運転モードが指示されたとき、主制御装置８を制御して、乗りかご４を昇降、停止させる。
【００１６】
補助制御盤９は、図２に示すように、主制御盤８に設けられ、エレベータシステム１ａ全体の動作を制御しているマイコン１０から出力される情報を受けて、主制御盤８に表示される情報（例えば、乗りかごの運転状態を示す情報など）と同じ情報を表示する情報表示器１１と、マイコン１０から出力される乗りかご位置情報などに基づき、人が乗降できる位置に乗りかご４があるとき、これを検出して、ブザー音で、保守員などに知らせるドアゾーン検出器１２と、保守員が携帯しているエレベータ調整端末装置（図示は省略する）が接続された状態で、このエレベータ調整端末装置が操作されて、調整指示が入力されたとき、指示内容を取り込んで、マイコン１０を制御し、各種設定値を調整させる調整器１３と、保守員によって操作されたとき、主制御盤８の安全回路スイッチ１４を遮断状態にして、乗りかご４などを緊急停止させる非常停止器１５と、保守員によって操作されて、通常運転モードが入力されたとき、乗りかご４から出力される各種信号を主制御盤８の運転切替器１６に供給して、通常運転を行わせ、また点検運転モードが入力されたとき、乗りかご４から出力される各種信号を主制御盤８に供給して、点検運転を行わせる運転切替器１９と、保守員によって操作されて、上昇指示が入力されたとき、主制御盤８に上昇信号を供給して、乗りかご４を上昇させ、また下降指示が入力されたとき、主制御盤８に下降信号を供給して、乗りかご４を下降させる乗りかご操作器１７とを備えている。
【００１７】
そして、主制御盤８のマイコン１０が動作しているとき、情報表示器１１によって、マイコン１０から出力される情報を取り込ませ、主制御盤８に表示される情報と同じ情報を表示させる。
【００１８】
この後、エレベータが故障して、乗客の救出、点検などを行う必要があるとき、保守員によって、巻上機７の動作状態、各回転物の動作状態、ロープ６の状態、各機器の状態などが確認されるとともに、運転切替器１９が操作されて点検運転モードが指示されたとき、乗りかご４から出力される各種信号が主制御盤８に供給されて点検運転が開始される。
【００１９】
この後、保守員によって、乗りかご操作器１７が操作されて、上昇指示または下降指示が入力される毎に、主制御盤８に上昇信号、または下降信号が供給され、巻上機７が駆動され、乗りかご４が上昇、または下降される。
【００２０】
そして、人が乗降できる位置に乗りかご４が移動し、ドアゾーン検出器１２によって、これが検出されると、ブザー音が出される。次いで、保守員によって乗りかご操作器１７が操作されて、主制御盤８に対する上昇信号または下降信号の供給が停止される。
【００２１】
これにより、主制御盤８のマイコン１０によって、巻上機７の駆動が停止されて乗客の救出などが行われる。
【００２２】
また、保守員が携帯しているエレベータ調整端末装置が調整器１３に接続された状態で、エレベータ調整端末装置が操作されて、調整指示が入力されたとき、調整器１３によって、指示内容が取り込まれて、主制御盤８の各種設定値が調整される。
【００２３】
このように、この実施の形態では、巻上機７上、または巻上機７の動作状態を確認することができる位置に補助制御盤９を設け、この補助制御盤９によって、主制御盤８で表示される情報と同じ情報を表示させながら、主制御盤８をリモートコントロールさせて、巻上機７を動作させ、乗りかご４を昇降、停止させるようにしているので、主制御盤８と巻上機７とが互いに確認できない位置にあっても、巻上機７付近で乗りかご４の運転やドアゾーンの位置確認を行わせることができるとともに、大規模な機器の損傷事故を未然に防止することができ、これによって調整時や通常運転時、故障時の復旧作業時における安全性を飛躍的に高めることができる。
【００２４】
図３は本発明によるエレベータシステムの他の実施形態を示す概略構成図である。なお、この図において、図１の各部と同じ部分には、同じ符号が付してある。
【００２５】
この図に示すエレベータシステム１ｂが図１に示すエレベータシステム１ａと異なる点は、乗りかご４内にかご内運転切替器２０を設けるとともに、乗りかご４の上にかご上運転切替器２１を設け、図４に示すように、かご内運転切替器２０、かご上運転切替器２１によって、通常運転モードが指定されているときにだけ、補助制御盤９を介して、主制御盤８にかご通常信号が供給されるようにしたことである。
【００２６】
これにより、保守員が乗りかご４内、あるいは乗りかご４の上などに乗り込んで、乗りかご４の点検などを行うとき、かご内運転切替器２０、かご上運転切替器２１のいずれか一方を点検運転モードにしておくだけで、補助制御盤９、主制御盤８が操作されても、主制御盤８の運転切替器１６から通常信号が出力されないようにして、乗りかご４を動かせないようにし、乗りかご４の点検中に乗りかご４が急に動き出す事故が発生しないようにすることができ、保守員の安全性を確保することができる。
【００２７】
このように、この実施の形態では、乗りかご４内にかご内運転切替器２０を設けるとともに、乗りかご４の上にかご上運転切替器２１を設け、これらかご内運転切替器２０、かご上運転切替器２１によって、通常運転モードが指定されているときにだけ、補助制御盤９を介して、主制御盤８にかご通常信号が供給されるようにしていた。このため、乗りかご４の点検などを行っているとき、主制御盤８などが操作されても、乗りかご４が動き出さないようにすることができ、乗りかご点検時における保守員の安全性を確保することができる。
【００２８】
【発明の効果】
以上説明したように本発明によれば、請求項１のエレベータシステムでは、主制御盤と巻上機とが互いに確認できない位置にあっても、巻上機付近で乗りかごの運転やドアゾーンの位置確認を行わせることができるとともに、大規模な機器の損傷事故を未然に防止させることができ、これによって調整時や通常運転時、故障時の復旧作業時における安全性を飛躍的に高めることができる。
【００２９】
また、請求項２のエレベータシステムでは、乗りかごの点検などを行っているとき、主制御盤などが操作されても、乗りかごが動き出さないようにして、乗りかご点検時における保守員の安全性を確保することができる。
【図面の簡単な説明】
【図１】本発明によるエレベータシステムの第１の実施形態を示す概略構成図である。
【図２】図１に示す補助制御盤の詳細な構成例を示す回路図である。
【図３】本発明によるエレベータシステムの第２の実施形態を示す概略構成図である。
【図４】図３に示すかご上運転切替器、かご内運転切替器の詳細な構成例を示す回路図である。
【符号の説明】
１ａ、１ｂ：エレベータシステム
２：建物
３：昇降路
４：乗りかご
５：釣合重り
６：ロープ
７：巻上機
８：主制御盤
９：補助制御盤
１０：マイコン
１１：情報表示器
１２：ドアゾーン検出器
１３：調整器
１４：安全回路スイッチ
１５：非常停止器
１６：運転切替器
１７：乗りかご操作器
１９：運転切替器
２０：かご内運転切替器（かご側運転切替器）
２１：かご上運転切替器（かご側運転切替器）
【図１】
2004277147.tif 000003
【図２】
2004277147.tif 000004
【図３】
2004277147.tif 000005
【図４】
2004277147.tif 000006